(57)【要約】【課題】情報記録媒体の再生を中断した場合、次回の再生を中断位置から開始できる再生装置を提供する。【解決手段】光ディスク１７の再生を中断するとき、光ディスク１７の識別情報と中断位置情報とをワークメモリ１９に記憶させ、再生内容の情報をコンテンツデータ記憶部１８に記憶さる。再生の再開時には、ディスクＩＤ認識部１６が光ディスク１７の識別情報を認識し、ワークメモリ１９から中断位置情報を読み取り、コンテンツデータ記録部１８に記憶された再生内容の情報を用いて中断位置から再生動作を実行させる間に、ディスク記録・再生部１５の初期処理を行い、その後続けて光ディスク１７からの再生を行う。【選択図】  図１
2004178654.tif 000002
【特許請求の範囲】
【請求項１】
交換可能な情報記録媒体の情報を再生する再生装置において、
情報記録媒体の情報を再生する再生手段と、
情報記録媒体を識別するための識別情報を認識する認識手段と、
識別情報を含む情報を記憶する記憶手段と、
情報記録媒体の再生を中断するときに、上記認識手段で認識した当該情報記録媒体の識別情報と、当該情報記録媒体の次回の再生を中断位置から行うために上記再生手段により再生を開始すべき当該情報記録媒体上の位置を特定可能な中断位置情報とを対応づけて、上記記憶手段に記憶させる再生中断制御手段と、
情報記録媒体の再生を開始するときに、上記認識手段で認識した当該情報記録媒体の識別情報に対応して上記記憶手段に記憶されている中断位置情報に基づいて、上記再生手段による再生開始位置を制御する再生開始制御手段とを備えることを特徴とする再生装置。
【請求項２】
上記認識手段で識別情報を認識できない情報記録媒体の再生を中断するときに、上記再生中断制御手段は、当該情報記録媒体用の識別情報を設定し、設定した識別情報と中断位置情報とを対応付けて、上記記憶手段に記憶させ、
上記認識手段で識別情報を認識できない情報記録媒体の再生を開始するときに、上記再生開始制御手段は、上記記憶手段に記憶されている再生中断時に設定された識別情報に対応する中断位置情報に基づいて、上記再生手段による再生開始位置を制御することを特徴とする請求項１に記載の再生装置。
【請求項３】
上記記憶手段は、複数の情報記録媒体のそれぞれの識別情報と、情報記録媒体毎の中断位置情報とを記憶可能であり、
上記再生開始制御手段は、情報記録媒体の再生を開始するときに、上記記憶手段に記憶された情報のうち再生する情報記録媒体に対応する中断位置情報に基づいて再生手段を制御することを特徴とする請求項１または２に記載の再生装置。
【請求項４】
上記再生中断制御手段は、情報記録媒体の再生を中断するときに、当該情報記録媒体の識別情報に対応づけて、当該情報記録媒体から読み取った再生中断位置後の再生内容の情報を上記記憶手段に記憶させ、
上記再生開始制御手段は、情報記録媒体の再生を開始するときに、当該情報記録媒体の識別情報に対応づけて上記記憶手段に記憶させた再生内容を再生した後、続けて当該情報記録媒体からの再生を行うことを特徴とする請求項１ないし３のいずれか１項に記載の再生装置。
【請求項５】
上記再生中断制御手段は、情報記録媒体の再生を中断するときに、当該情報記録媒体の識別情報に対応づけて、当該情報記録媒体から読み取った再生中断位置前の再生内容の情報を上記記憶手段に記憶させ、
上記再生開始制御手段は、当該情報記録媒体の再生を開始するときに、当該情報記録媒体の識別情報に対応づけて上記記憶手段に記憶させた再生内容を再生した後、続けて当該情報記録媒体からの再生を行うことを特徴とする請求項１ないし４のいずれか１項に記載の再生装置。
【請求項６】
上記記憶手段が、交換可能であることを特徴とする請求項１ないし５に記載のいずれか１項に記載の再生装置。
【請求項７】
上記再生中断制御手段は、中断位置情報を上記記憶手段に記憶させるときに、中断位置情報を記憶させた順序を特定可能なように記憶させることを特徴とする請求項１ないし６のいずれか１項に記載の再生装置。
【請求項８】
上記記憶手段の空き容量を増やす必要が生じたときに、記憶した順序が古い情報から優先的に削除する記憶内容管理手段を備えることを特徴とする請求項７に記載の再生装置。
【請求項９】
上記記憶手段に記憶されている情報の内容を表示する表示手段と、
ユーザからの入力を受け付ける入力手段と、
ユーザの入力に応じた特定の識別情報に対応する情報記録媒体に関しては、中断位置からの再生を無効とする無効化手段とを備えることを特徴とする請求項１ないし８のいずれか１項に記載の再生装置。
【請求項１０】
上記記憶手段に記憶されている情報の内容を表示する表示手段と、
ユーザからの入力を受け付ける入力手段と、
ユーザの入力に応じた特定の識別情報に対応する中断位置情報を上記記憶手段から削除する削除手段を備えることを特徴とする請求項１ないし９のいずれか１項に記載の再生装置。
【請求項１１】
上記入力手段は、上記記憶手段に記憶される記録情報媒体の識別情報に１対１で対応するユーザによる別名称の入力を受け付け、
上記記憶手段は、当該記録情報媒体の識別情報と中断位置情報とを対応づけて上記別名称を記憶し、
上記表示手段は、上記記憶手段に記憶された別名称を表示することを特徴とする請求項９または１０に記載の再生装置。
【請求項１２】
交換可能な情報記録媒体の情報を再生する再生装置の制御方法において、
情報記録媒体の再生を中断するときに、
当該情報記録媒体を再生する再生手段に対して再生の中断を指示する中断指示ステップと、
当該情報記録媒体を識別するための識別情報と、当該情報記録媒体の次回の再生を中断位置から行うために上記再生手段により再生を開始すべき当該情報記録媒体上の位置を特定可能な中断位置情報とを対応づけて記憶手段に記憶する記憶ステップとを含み、
情報記録媒体の再生を開始するときに、
当該情報記録媒体を識別するための識別情報を認識する認識ステップと、
上記記憶手段に記憶されている中断位置情報のうち、上記認識ステップで認識された識別情報に対応するものを取得する情報取得ステップと、
上記情報取得ステップにおいて取得した中断位置情報に基づいて、上記再生手段による再生開始位置を制御する再生開始ステップとを含むことを特徴とする再生装置制御方法。
【請求項１３】
請求項１２における再生装置制御方法を実行するための再生装置制御プログラムであって、コンピュータに上記各ステップを実行させるための再生装置制御プログラム。
【請求項１４】
請求項１３の再生装置制御プログラムを記録したコンピュータ読み取り可能な記録媒体。
【発明の詳細な説明】
【０００１】
【発明の属する技術分野】
本発明は、交換可能な情報記録媒体の情報を再生する再生装置に関し、特に、情報記録媒体の再生を中断した場合でも、その中断位置からの再生を可能とした再生装置、該再生装置の制御方法、再生装置制御プログラム、および該再生装置制御プログラムを記録した記録媒体に関するものである。
【０００２】
【従来の技術】
最近、テレビ映像等のビデオ情報を記録する情報記録媒体として、ビデオテープ等の磁気テープに代わって、より質の高い記録・再生を行うことができ、大容量の記録が可能なディスク媒体、例えば、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）、ＤＶＤ−ＲＷ（ＤＶＤ  Ｍｉｎｕｓ  Ｒｅｗｒｉｔａｂｌｅ）、ＤＶＤ＋ＲＷ（ＤＶＤ  Ｐｌｕｓ  Ｒｅｗｒｉｔａｂｌｅ）等の媒体がある。
【０００３】
これらのディスク媒体は、磁気テープと異なり、ランダムアクセス性があるため、ビデオ情報等を連続的に記録したとしても、再生装置で再生する際に任意の位置を任意の順番に再生することが可能となる。
【０００４】
ここで、磁気テープの再生装置の場合は、磁気テープのイジェクト（排出）が行われたとき、再生を中断した位置がそのまま保持されるので、再生装置にテープを再度装着したとき、中断位置から再生を開始することが可能である。
【０００５】
しかしながら、ディスク媒体の場合、そのランダムアクセス性が災いして、前回再生を中断した位置から、再生を再開することが困難であるという問題がある。このような問題を解決するために、再生を中断した場合に、同じ位置から再生を再開できるようにするリジューム（レジューム）機能についての技術が開示されている（例えば、特許文献１、２参照）。
【０００６】
【特許文献１】
特開平８−１２４３５９号広報（公開日平成８年５月１７日）
【０００７】
【特許文献２】
特開２００２−１４０８５８号広報（公開日平成１４年５月１７日）
【０００８】
【発明が解決しようとする課題】
しかし、上記特許文献１又は２に開示されている技術では、ディスク媒体を再生装置からイジェクトした場合や、ディスクを交換した場合に、前回再生の中断位置から再生することは困難である。
【０００９】
また、最近開発された大容量の光ディスクでは、再生装置における再生において、光学的な補償、例えば、基盤厚さ誤差及び基盤の持つ傾き、チルトから生じる収差、外部温度によって影響される再生及び記録レーザパワー、などを調整してから再生を行わなければならないため、実際に情報の再生をするまでには、数十秒の待ち時間が必要となっている。このように再生までに時間がかかることは、ユーザにとっては不自由である。
【００１０】
本発明は上記問題点を鑑みてなされたものであり、その目的は、情報記録媒体の再生を中断した場合に、次回の再生を中断位置から行えるようにする再生装置、該再生装置の制御方法および再生制御プログラム、および再生制御プログラムを記録した記録媒体を提供することにある。また、これらにおいて、再開時に、再生開始の指示から実際に再生が始まるまでの待ち時間を短縮することも目的とする。
【００１１】
【課題を解決するための手段】
上記の課題を解決するために、本発明の再生装置は、交換可能な情報記録媒体の情報を再生する再生装置であって、情報記録媒体の情報を再生する再生手段と、情報記録媒体を識別するための識別情報を認識する認識手段と、識別情報を含む情報を記憶する記憶手段と、情報記録媒体の再生を中断するときに、上記認識手段で認識した当該情報記録媒体の識別情報と、当該情報記録媒体の次回の再生を中断位置から行うために上記再生手段により再生を開始すべき当該情報記録媒体上の位置を特定可能な中断位置情報とを対応づけて、上記記憶手段に記憶させる再生中断制御手段と、情報記録媒体の再生を開始するときに、上記認識手段で認識した当該情報記録媒体の識別情報に対応して上記記憶手段に記憶されている中断位置情報に基づいて、上記再生手段による再生開始位置を制御する再生開始制御手段とを備えることを特徴としている。
【００１２】
上記構成によれば、再生手段によって再生している、あるいは再生しようとしている情報記録媒体の識別情報を認識手段によって認識することができる。そして、情報記録媒体の再生を中断するときに、再生している情報記録媒体の識別情報に対応づけて、この情報記録媒体の次回の再生を中断位置から行うために、次回の再生開始時に再生を開始すべき情報記録媒体上の位置を特定可能な中断位置情報とを、再生中断制御手段が記憶手段に記憶させる。また、情報記録媒体の再生を開始するときには、再生をしようとする情報記録媒体の識別情報に対応して記憶手段に記憶されている中断位置情報に基づいて、再生開始制御手段が再生位置を制御する。
【００１３】
したがって、ある情報記録媒体を再生装置から取り出さずに再生を再開する場合に限らず、ある情報記録媒体を再生装置から一旦取りだし、他の情報記録媒体を再生することなく再びもとの情報記録媒体を挿入して再生を再開する場合や、ある情報記録媒体を再生装置から取り出し、他の情報記録媒体をその再生装置に挿入して再生した後、さらにもとの情報記録媒体を再生装置に挿入して再生する場合においても、記憶手段に記憶していたもとの情報記録媒体に対応する中断位置情報に基づくことにより、もとの情報記録媒体で前回再生を中断した位置から再生を再開することができるようになる。
【００１４】
このように、上記の構成では、情報記録媒体を一旦取り出して再度再生した場合や、情報記録媒体を交換して再生した場合でも、各情報記録媒体で前回の再生中断からの再生が可能になる。
【００１５】
本発明の再生装置は、上記構成に加えて、上記認識手段で識別情報を認識できない情報記録媒体の再生を中断するときに、上記再生中断制御手段は、当該情報記録媒体用の識別情報を設定し、設定した識別情報と中断位置情報とを対応付けて、上記記憶手段に記憶させ、上記認識手段で識別情報を認識できない情報記録媒体の再生を開始するときに、上記再生開始制御手段は、上記記憶手段に記憶されている再生中断時に設定された識別情報に対応する中断位置情報に基づいて、上記再生手段による再生開始位置を制御することを特徴としている。
【００１６】
上記構成によれば、再生手段によって再生している、あるいは再生しようとしている情報記録媒体の識別情報を認識手段によって認識できない場合（あるいは、識別情報がないと認識した場合）、情報記録媒体の再生を中断するときに、再生している情報記録媒体用の識別情報を設定して、この設定した識別情報と中断位置情報とを対応づけて、再生中断制御手段が記憶手段に記憶させる。また、情報記録媒体の再生を開始するときには、上記認識手段が識別情報を認識できなくても、記憶手段に記憶されている設定した識別情報に対応した中断位置情報に基づいて、再生開始制御手段が、再生しようとしている識別情報を認識手段によって認識できない情報記録媒体の再生位置を制御する。
【００１７】
したがって、上記の構成では、識別情報を認識手段によって認識できない情報記録媒体でも、識別情報を認識手段によって認識できる情報記録媒体と同様に、前回の再生中断からの再生が可能になる。
【００１８】
本発明の再生装置は、上記構成に加えて、上記記憶手段は、複数の情報記録媒体のそれぞれの識別情報と、情報記録媒体毎の中断位置情報とを記憶可能であり、上記再生開始制御手段は、情報記録媒体の再生を開始するときに、上記記憶手段に記憶された情報のうち再生する情報記録媒体に対応する中断位置情報に基づいて再生手段を制御することを特徴としている。
【００１９】
上記構成によれば、記憶手段が、複数の情報記録媒体に対し、識別情報と中断位置情報とを、情報記録媒体毎に記憶できるので、複数の情報記録媒体に対してそれぞれのリジューム機能を実現することができる。つまり、情報記録媒体Ａの再生を再開する場合、Ａの前回の再生との間に別の情報記録媒体Ｂの再生・中断が行われていても、Ａの中断位置から再生を実行することができる。
【００２０】
本発明の再生装置は、上記構成に加え、上記再生中断制御手段は、情報記録媒体の再生を中断するときに、当該情報記録媒体の識別情報に対応づけて、当該情報記録媒体から読み取った再生中断位置後の再生内容の情報を上記記憶手段に記憶させ、上記再生開始制御手段は、情報記録媒体の再生を開始するときに、当該情報記録媒体の識別情報に対応づけて上記記憶手段に記憶させた再生内容を再生した後、続けて当該情報記録媒体からの再生を行うことを特徴としている。
【００２１】
上記構成によれば、再生を中断する際に予め記憶手段に中断後の再生内容の情報を記憶させているので、再生を再開した場合、初めに記憶手段に記憶されている中断後の再生内容の情報を再生し、その間に、再生手段における、例えばレーザ調整、各パラメータセット、情報記録媒体のＴＯＣ情報読み込みなどの初期処理を行うことができ、記憶手段からの再生後、続けて、上記情報録媒体からの再生動作を実行することができる。その結果、ユーザにおいては、再生までの待ち時間が少なくなり、連続して再生される情報を得ることができ、快適な再生環境を得ることができる。
【００２２】
本発明の再生装置は、上記構成に加えて、上記再生中断制御手段は、情報記録媒体の再生を中断するときに、当該情報記録媒体の識別情報に対応づけて、当該情報記録媒体から読み取った再生中断位置前の再生内容の情報を上記記憶手段に記憶させ、上記再生開始制御手段は、情報記録媒体の再生を開始するときに、当該情報記録媒体の識別情報に対応づけて上記記憶手段に記憶させた再生内容を再生した後、続けて当該情報記録媒体からの再生を行うことを特徴としている。
【００２３】
上記構成によれば、再生を中断する際に予め記憶手段に再生中断位置前の情報を記憶させることで、中断位置の前から情報再生を行うことができる。これにより、ユーザに再生中断位置直前の内容を思い出させつつ、これに連続して再生中断位置後の内容を再生することができる。また、記憶手段からの再生を行っている間を利用して再生手段の初期処理を行うことができるため、上記と同様に再生までの時間を短縮することができ、ユーザは、快適な再生環境を得ることができる。
【００２４】
本発明の再生装置は、上記構成に加えて、上記記憶手段が、交換可能であることを特徴としている。
【００２５】
上記構成によれば、記憶手段に保持する情報が肥大化した場合、記憶された情報記録媒体数が多くなった場合等でも、記憶手段を交換することで、容量を変更して対応することが可能になる。
【００２６】
本発明の再生装置は、上記構成に加えて、上記再生中断制御手段は、中断位置情報を上記記憶手段に記憶させるときに、中断位置情報を記憶させた順序を特定可能なように記憶させることを特徴としている。
【００２７】
上記構成によれば、記憶手段に記憶させた情報を削除する必要が生じたときに、記憶させた順序に基づいて、この順序が古い情報から順に削除することができるようになる。
【００２８】
本発明の再生装置は、上記構成に加えて、上記記憶手段の空き容量を増やす必要が生じたときに、記憶した順序が古い情報から優先的に削除する記憶内容管理手段を備えることを特徴としている。
【００２９】
上記構成によれば、記憶手段の空き容量を増やす必要が生じたときに、記憶手段に記憶させた順序が古いものから順に、自動的に削除することができ、記憶手段の空き容量を増やすことができるようになる。
【００３０】
本発明の再生装置は、上記構成に加えて、上記記憶手段に記憶されている情報の内容を表示する表示手段と、ユーザからの入力を受け付ける入力手段と、ユーザの入力に応じた特定の識別情報に対応する情報記録媒体に関しては、中断位置からの再生を無効とする無効化手段とを備えることを特徴としている。
【００３１】
上記構成によれば、上記記憶手段に記憶されている情報の内容を表示することが可能となり、ユーザ自身で、入力手段を用いて、前回の再生時の中断位置からの再生が必要ない情報記録媒体については、通常の再生が可能なように変更することができる。よって、再生はユーザの自由にできる。
【００３２】
本発明の再生装置は、上記構成に加えて、上記記憶手段に記憶されている情報の内容を表示する表示手段と、ユーザからの入力を受け付ける入力手段と、ユーザの入力に応じた特定の識別情報に対応する中断位置情報とを上記記憶手段から削除する削除手段を備えることを特徴としている。
【００３３】
上記構成によれば、上記記憶手段に記憶されている情報の内容を表示することが可能となり、ユーザ自身で、入力手段を用いて、記憶手段に記憶されている情報のうち必要ない情報を削除することができる。
【００３４】
本発明の再生装置は、上記構成に加えて、上記入力手段は、上記記憶手段に記憶される記録情報媒体の識別情報に１対１で対応するユーザによる別名称の入力を受け付け、上記記憶手段は、当該記録情報媒体の識別情報と中断位置情報とに対応づけて上記別名称を記憶し、上記表示手段は、上記記憶手段に記憶された別名称を表示することを特徴としている。
【００３５】
上記構成によれば、識別情報を持たない情報記録媒体を含め、すべての情報記録媒体に対して、ユーザが、上記別名称として独自ＩＤ（自身に分かり易い名称）をつけることができる。また、記憶手段がこの独自ＩＤを記憶し、表示手段が表示できる。よって、ユーザは、表示手段が独自ＩＤを表示した状態で、中断位置からの再生を無効や、記憶手段に記憶されている情報の削除等の作業を行うことができるので、情報記録媒体に記録されている各種情報へのアクセス性が向上する。
【００３６】
これは、特に、複数の情報記録媒体の情報が上記記憶手段に記憶されている場合、分かり易い名称をユーザは表示手段から可視でき、削除等の操作対象の情報を選ぶことができるので、作業性が向上するという効果を発揮する。
【００３７】
本発明の再生装置の制御方法は、交換可能な情報記録媒体の情報を再生する再生装置の制御方法であって、情報記録媒体の再生を中断するときに、当該情報記録媒体を再生する再生手段に対して再生の中断を指示する中断指示ステップと、当該情報記録媒体を識別するための識別情報と、当該情報記録媒体の次回の再生を中断位置から行うために上記再生手段により再生を開始すべき当該情報記録媒体上の位置を特定可能な中断位置情報とを対応づけて記憶手段に記憶する記憶ステップとを含み、情報記録媒体の再生を開始するときに、当該情報記録媒体を識別するための識別情報を認識する認識ステップと、上記記憶手段に記憶されている中断位置情報のうち、上記認識ステップで認識された識別情報に対応するものを取得する情報取得ステップと、上記情報取得ステップにおいて取得した中断位置情報に基づいて、上記再生手段による再生開始位置を制御する再生開始ステップとを含むことを特徴としている。
【００３８】
上記方法によれば、情報記録媒体の再生の中断があった場合でも、再生の中断を指令し、上記情報記録媒体の識別情報と次回の再生を中断位置から行うための上記情報記録媒体の中断位置情報とを記憶させ、再生の再開時には、上記識別情報を認識し、記憶した識別情報と中断位置情報とを用いて、中断位置から再生動作を実行させることができる。
【００３９】
本発明の再生装置制御プログラムは、上記再生装置制御方法を実行するための再生装置制御プログラムであって、コンピュータに上記各ステップを実行させるように構成されることを特徴とする。
【００４０】
上記構成によれば、上記制御方法を再生装置制御プログラムとしてコンピュータに実行させることができる。
【００４１】
本発明のコンピュータ読み取り可能な記録媒体は、上記再生装置制御プログラムを記録し、コンピュータ読み取り可能なように構成されることを特徴とする。
【００４２】
上記構成によれば、上記制御プログラムを読み取り可能な記録媒体に記録することにより、任意のコンピュータで上記再生装置制御プログラムを用いて上記制御方法を実行させることができる。
【００４３】
【発明の実施の形態】
本発明の実施の形態について以下で詳細に説明する。
【００４４】
図１は、本実施形態の記録・再生装置の構成例を示している。図１において、記録・再生装置は、システム制御部１１、情報入力部１２、情報出力部１３、ユーザ操作部１４、ディスク記録・再生部１５、ディスクＩＤ認識部１６、コンテンツデータ記憶部１８、ワークメモリ１９、バッファメモリ２０、及び表示部２１を有する。なお、ここでは、本発明の再生装置の一形態として、記録機能をも有する記録・再生装置について説明するが、本発明の再生装置には必ずしも記録機能が必要となるわけではない。また、情報記録媒体として書き込み可能な光ディスクを用いるものとするが、必ずしも書き込み可能である必要はない。
【００４５】
ディスク記録・再生部１５は、システム制御部１１を介して、情報入力部１２から入力された映像情報や音声情報等のコンテンツデータを、光ディスク１７で記録可能な形式に変換して、光ディスク１７へ記録することができる。また、ディスク記録・再生部１５は、再生手段として機能し、光ディスク１７に記録されているコンテンツデータを取り出し、それを情報出力部１３で再生できる形式に変換してからシステム制御部１１へ出力できるように構成されている。さらに、ディスク記録・再生部１５は、システム制御部１１からの指示によって、レーザパワーの調整、ディスクチルトの調整、収差の補正等の光学ヘッドの各種調整を行って記録・再生可能な状態とした上で、光ディスク１７からのＴＯＣ（Ｔａｂｌｅ  Ｏｆ  Ｃｏｎｔｅｎｔｓ）情報を読み出し、それに応じた各種パラメータのセットを行う、といった初期処理を行い、初期処理が完了した場合に、システム制御部１１に対して初期処理の完了を通知することができるように構成されている。
【００４６】
光ディスク１７は、映像情報及び音声情報等のコンテンツデータや、これら情報、データの管理情報であるＴＯＣ情報等を格納するものである。光ディスク１７には、個々を識別するための識別情報であるＩＤ（ディスクＩＤ、識別コード）を付加されたものが存在する。ここで、上記光ディスク１７には、ＤＶＤなどの光ディスク以外に、光磁気ディスクも含まれる。また、光ディスク１７の代わりに、磁気ディスクなどを用いてもよい。本記録・再生装置は、特に、コンテンツデータを再生するために初期処理が必要な記録媒体に関して好適なものである。また、上記光ディスク１７に記録されるデータの種別として、上記コンテンツデータは例示であり、これに限定されるものではない。
【００４７】
ディスクＩＤ認識部１６は、上記ディスクＩＤを持つ光ディスク１７が本記録・再生装置に挿入された場合に、このディスクＩＤを読み取って認識する認識手段である。ここでは、ディスクＩＤの記録したバーコードを印字した紙ラベル（識別シール）が、光ディスク１７自体又はこれを収納したカートリッジに貼付されており、この識別シールから光ディスク１７のディスクＩＤを取得するように、ディスクＩＤ認識部１６が構成されているものとする。これは、ユーザが、上記識別シールを光ディスク１７又はカートリッジの所定の場所に貼り付けることによって、光ディスク１７のディスクＩＤを認識させるようにしたものである。
【００４８】
このディスクＩＤを認識した場合、ディスクＩＤ認識部１６は、その情報をシステム制御部１１へ送信する。なお、ディスクＩＤ認識部１６におけるディスクＩＤの認識方法は、上記例に限定さるものではなく、例えば、光ディスク１７自体またはそのカートリッジに非接触にアクセスできるＩＣチップを取り付けておき、そのＩＣチップに記録しておいたディスクＩＤを認識するようにしてもよく、光ディスク１７がＤＶＤの場合には、ＢＣＡ（Ｂｕｒｓｔ  Ｃｕｔｔｉｎｇ  Ａｒｅａ）領域などの光ディスク１７の記録・再生領域外の記録膜（表面）に書き込まれた識別コードを利用することも可能である。
【００４９】
情報入力部１２は、テレビジョン放送などからコンテンツデータを受信し、受信したコンテンツデータをシステム制御部１１へ供給するように構成されている。また、圧縮されたコンテンツデータの伸張のためのデコード機能を内蔵することもできる。
【００５０】
情報出力部１３は、システム制御部１１から入力されたコンテンツデータを再生する機能を有しており、コンテンツデータの映像情報を液晶表示装置、ＣＲＴ（Ｃａｔｈｏｄｅ  Ｒａｙ  Ｔｕｂｅ）などの映像表示装置に出力し、また、音声情報をスピーカなどの音声出力装置に出力する。さらに、情報出力部１３は、コンテンツ選択メニューを再生できるようにすることもできる。
【００５１】
ここで、上記コンテンツ選択メニューとは、光ディスク１７の内容を示す目次情報のことであり、光ディスク１７に含まれる映像情報等のタイトルをリスト表示したものや、画像の絵柄の見本を示すサムネイル画像を一覧表示したもの等から構成されている。このコンテンツ選択メニューに基づいて、ユーザがユーザ操作部１４を用いて必要なメニューを選択することで、システム制御部１１へ選択された情報が通知されるようになっている。
【００５２】
ユーザ操作部１４は、再生キー、停止キー、サーチキー等がユーザ操作に供されるように設けられている。また、ユーザ操作部１４は、リジューム動作のオン・オフ（リジュームモードにするか否か）も選択可能に構成されている。ユーザは、このユーザ操作部１４を用いることにより、本記録・再生装置に対して各種入力を行うことができるようになっている。
【００５３】
ワークメモリ１９は、本記録・再生装置のリジューム機能を利用する場合に、ディスクＩＤや再生が中断された位置であるリジュームポイント（再生復帰位置）を示す情報（リジュームポイント情報、中断位置情報）等を含む、後述のディスクＩＤ管理テーブルを格納する情報記憶装置である。ワークメモリ１９は、本記録・再生装置の電源オフ時にもデータを保持できるメモリにより構成されている。なお、ワークメモリ１９は、複数の光ディスクに関するディスクＩＤとこれに対応したリジュームポイント情報等の情報を保存することができるように構成されるのが好ましい。ここで、ワークメモリ１９内の情報は、システム制御部１１によって読み出し可能であり、また、システム制御部１１の指示に従って、ワークメモリ１９内の情報の更新を行うことができる。
【００５４】
バッファメモリ２０は、光ディスク１７からのコンテンツデータを一時的に格納する情報記憶装置である。バッファメモリ２０におけるデータの入出力については、高速で間欠的に書き込まれ、低速で継続的に読み出され、常時ある程度のデータ蓄積がなされるように構成する。そして、外部振動等によりトラッキングが外れるなどの原因で、光ディスク１７からの再生が不可能になった場合でも、バッファメモリ２０に蓄積されたコンテンツデータを用いることで、中断することなく再生できるように構成される。記録・再生装置が据え置き型の装置であれば、映像、音声等のデジタルデータの伸張、圧縮、Ａ−Ｄ、及びＤ−Ａ変換などのワーキングメモリとしてもバッファメモリ２０の一部を利用可能である。
【００５５】
コンテンツデータ記憶部１８はハードディスク装置などからなっている。そして、コンテンツデータ記憶部１８は、コンテンツデータの記憶が可能であり、システム制御部１１の指示に従って、システム制御部１１に対してコンテンツデータの入出力を行うことができる。
【００５６】
コンテンツデータ記憶部１８は、リジューム機能に基づいて再生を再開したときに、リジュームポイント以降を再生するために最初に必要となる所定量のコンテンツデータ（部分コンテンツデータ）を記憶可能なように構成されている。また、コンテンツデータ記憶部１８は、本記録・再生装置の電源オフ時でもデータを保存できるように構成されている。
【００５７】
コンテンツデータ記憶部１８と上記バッファメモリ２０との違いは、コンテンツデータ記憶部１８の方がバッファメモリ２０と比較して容量が大きい点、及びコンテンツデータ記憶部１８はバッファメモリ２０のように、再生中の一時的なデータ保存を目的としていない点である。但し、コンテンツデータ記憶部１８の記録・再生能力、所謂データ転送速度が、上記光ディスク１７からのデータ転送速度より、十分大きければ、バッファメモリ２０と同様の動作を行わせることも可能である。このようにコンテンツデータ記憶部１８にバッファメモリ２０の機能をもたせるとき、コンテンツデータ記憶部１８は、光ディスク１７から先読みされたコンテンツデータを記憶することになるので、再生中断時にこのデータを部分コンテンツデータとして、保存しておくことも可能である。
【００５８】
上記ワークメモリ１９及びコンテンツデータ記憶部１８によって本発明の記憶手段が構成される。ただし、本発明の記憶手段は、必ずしもワークメモリ１９及びコンテンツデータ記憶部１８によって構成される必要はなく、上記の通り、１つの記憶装置によって構成されていてもよい。
【００５９】
なお、ワークメモリ１９およびコンテンツデータ記憶部１８は、複数の光ディスクに関するリジュームポイント情報や部分コンテンツデータなどを記憶可能に構成されていることが好ましい。さらに、ワークメモリ１９およびコンテンツデータ記憶部１８の一方または両方が、交換可能であれば、記憶すべき情報が肥大化した場合等でも、容量を変更して対応することもできるため好ましい。
【００６０】
なお、光ディスク１７の再生を中断した場合に、次回再生時にリジュームポイントから再生するために必要な情報を「リジューム情報」と称する。リジューム情報には、上記リジュームポイント情報や、コンテンツデータ記憶部１８での部分コンテンツデータの格納先アドレス（記録位置に関する情報、一般的にＴＯＣ情報）などが含まれる。
【００６１】
また、リジューム情報には、例えば、光ディスク１７の再生を中断した日時等を含めてもよい。
【００６２】
この場合、上記日時の情報により、コンテンツデータ記憶部１８やワークメモリ１９に記憶させたデータの順序が特定可能になる。そこで、コンテンツデータ記憶部１８やワークメモリ１９の空き容量が不足してきた場合に、日時順に古いものからコンテンツデータ記憶部１８やワークメモリ１９のデータを削除する記憶内容管理手段としての機能を、システム制御部１１に持たせることもできる。
【００６３】
また、ユーザが、ユーザ操作部１４を用いて、システム制御部１１に指示を出し、システム制御部１１は、ワークメモリ１９に記憶されている複数の光ディスクに対する各ディスクＩＤとリジューム情報を、表示手段として機能する情報出力部１３で表示させるように構成することもできる。こうした場合、ユーザが入力手段であるユーザ操作部１４を通じて、日時等を基に、中断位置からの再生を無効にしたり、ワークメモリ１９からのリジューム情報の削除等を行ったりできるようにシステム制御部１１を構成することも可能である。このとき、システム制御部は、無効化手段、削除手段として働く。
【００６４】
なお、ワークメモリ１９が記憶したディスクＩＤに対応づけて、ユーザが独自に作成したＩＤである独自ＩＤ（別名称）を、ワークメモリ１９に記憶できるようにしてもよい。独自ＩＤの作成方法としては、例えば、ユーザ操作部１４にテンキーが付属されており、これを用いてユーザが、数字列として独自ＩＤを入力する方法がある。より望ましくは、独自ＩＤを、アルファベット、ひらがな等で構成しておくのがよい。この独自ＩＤを、情報出力部１３で表示させるように構成しておくと、上記のようなリジュームポイントからの再生を無効にしたり、リジューム情報の削除等を行ったりする際、独自ＩＤを基に無効や削除の操作対象を選定でき便利である。なぜなら、ディスクＩＤは、通常ユーザには意味のない、覚え難い情報であり、またディスクにレーザ記録されているようなＩＤ（例えば、ＢＣＡに記録されたＩＤ）の場合、ユーザがそのディスクＩＤからディスクを特定することは困難だからである。この独自ＩＤは、ユーザが操作する対象を確認するための表示に使用するものである。もちろん、ワークメモリ１９は、ディスクＩＤを記憶しているので、光ディスクの再生時のリジューム動作には、システム制御部１１は、ディスクＩＤを用いて再生を行う
本実施形態では、ワークメモリ１９にディスクＩＤ及びリジューム情報を、コンテンツデータ記憶部１８に部分コンテンツデータを記憶させておくものとするが、これに限定されず、例えば、コンテンツデータ記憶部１８にディスクＩＤ、リジューム情報及び部分コンテンツデータを記録することもできる。また、コンテンツデータ記憶部１８の一部を用いて、バッファメモリ２０の機能を持たせることも上記の通り可能である。なお、本実施形態では、コンテンツデータ記憶部１８としてハードディスク装置を用いたが、部分コンテンツデータの記憶が可能であれば、半導体メモリやディスクメディアに情報を記憶する記憶装置を用いても、本実施形態と同様の効果が得られる。
【００６５】
システム制御部１１は、光ディスク１７の再生中断時には、ワークメモリ１９に、ディスクＩＤ認識部１６で認識した情報とリジューム情報とを対応づけて記憶させ、コンテンツデータ記憶部１８に、部分コンテンツデータを記憶させる再生中断制御手段として機能する。また、光ディスク１７の再生を開始するときには、ディスクＩＤ認識部１６で認識したディスクＩＤに対応したリジューム情報と部分コンテンツデータに基づいて、本記録・再生装置による再生を制御する再生開始制御手段として機能する。さらに、システム制御部１１は、ユーザがユーザ操作部１４を介して入力した操作に基づいて、上述した各ブロックの動作、及び各ブロック間のデータの入出力を制御する。本記録・再生装置では、リジュームモードのオン・オフ、つまりリジューム機能の有効・無効の切り替えも可能に構成してある。
【００６６】
表示部２１は、例えば、小型の液晶ディスプレイなどによって構成されており、本記録・再生装置の動作状態、再生中のトラックナンバ、記録・再生進行時間、トラックモード情報などの文字情報などを表示する機能を有している。
【００６７】
以下で、本実施形態におけるリジューム動作について図２，３を用いて説明する。
【００６８】
図２は、上記記録・再生装置の再生中断時におけるリジューム動作のフローチャートの一例である。
【００６９】
このフローチャートは、本記録・再生装置が光ディスク１７を再生中（Ｓ２１）に、ユーザがユーザ操作部１４に含まれる停止キーを操作し（Ｓ２２）、再生を中断するときの流れを示している。なお、ユーザは、ユーザ操作部１４を用いてリジューム動作のオン・オフを設定できる。そして、この設定に基づき、システム制御部１１は、リジュームモードに設定されているか否かを判断する（Ｓ２３）。
【００７０】
リジュームモードに設定されていない場合、システム制御部１１は、ディスク記録・再生部１５を制御し再生を停止する（Ｓ３１）。
【００７１】
リジュームモードに設定されている場合、システム制御部１１は、光ディスク１７挿入時にディスクＩＤ認識部１６がディスクＩＤを認識できたかどうか確認する（Ｓ２４）。認識できていると、Ｓ２６に進む。
【００７２】
しかし、ディスクＩＤを持たない光ディスクが存在するため、光ディスク挿入時にディスクＩＤ認識部１６がディスクＩＤを認識できない場合がある。これに対応するため、ディスクＩＤ認識部１６がディスクＩＤを認識できない場合には、システム制御部１１は、この光ディスクに対する識別情報としてデフォルトＩＤを発行する（Ｓ２５）。
【００７３】
ディスクＩＤが認識される、あるいは、デフォルトＩＤが発行されると、システム制御部１１は、ディスクＩＤ（Ｓ２５でデフォルトＩＤが作成された場合には、デフォルトＩＤ。以下同様。）に対応させて再生中断位置であるリジュームポイントを認識する（Ｓ２６）。
【００７４】
次に、システム制御部１１は、ディスク記録・再生部１５を介して、光ディスク１７からさらに先読みしたコンテンツデータを読み出し、バッファメモリ２０内に蓄積されているデータ、及び先読みして光ディスク１７から読み出したデータから必要十分な量の部分コンテンツデータを読み出す（Ｓ２７）。
【００７５】
なお、部分コンテンツデータには、リジュームポイント以降のコンテンツデータに限らず、リジュームポイント前のコンテンツデータや、リジュームポイント前後のコンテンツデータが含まれていてもよい。また、読み出す部分コンテンツデータのデータ量は、特に限定されないが、再生再開時に、光ディスク１７挿入から再生可能状態に移行するまでの時間に相当するデータ量、例えば光ディスク１７が書き換え型ＤＶＤであるときには３０秒程度分のデータ量であればよい。
【００７６】
システム制御部１１は、この読み出された部分コンテンツデータをコンテンツデータ記憶部１８に記憶させる（Ｓ２８）。そして、システム制御部１１は、コンテンツデータ記憶部１８に記憶した部分コンテンツデータの書き込み位置に関する情報である格納先アドレスを認識する（Ｓ２９）。さらに、システム制御部１１は、光ディスク１７のディスクＩＤと、リジュームポイント情報や格納先アドレスを含めたリジューム情報とを対応づけてワークメモリ１９に記憶させる（Ｓ３０）。なお、ワークメモリ１９に記憶させる情報には、記録日時、記録順、等を含めてもよい。また、光ディスク１７の独自ＩＤをワークメモリ１９に記憶させることも可能である。これは、ユーザがユーザ操作部１４を用いて入力できるようになっていればよい。これは、ユーザが複数の光ディスクを使用している場合に、操作対象を判別するのに特に有効である。
【００７７】
以上によって、次回の再生でのリジューム動作に必要なデータの記憶が終了すると、通常の停止動作を行う（Ｓ３１）。
【００７８】
なお、Ｓ２５で発行したデフォルトＩＤとは、ディスクＩＤ認識部が、ディスクＩＤを認識できない場合に、その光ディスクに対して設定するＩＤである。本記録・再生装置においては、ディスクＩＤ認識部１６が、ディスクＩＤを認識できない場合（ディスクＩＤがないと認識した場合、でもよい）でも、デフォルトＩＤを発行し、このデフォルトＩＤと対応付けてリジューム情報を記憶するようになっている。このため、ディスクＩＤを持たない光ディスクについてもリジューム動作を行うことができる。
【００７９】
このデフォルトＩＤについては、ユーザによって、独自のデフォルトＩＤ（別名称）を作成し、ワークメモリ１９に記憶できるようにしてもよい。この入力方法等は、上記のワークメモリ１９が記憶したディスクＩＤに対し、ユーザが独自ＩＤを作成する場合に準じる。この独自のデフォルトＩＤは、ユーザが操作する対象を確認するための表示に使用するもので、ディスクＩＤが認識されないディスクの再生時のリジューム動作は、システム制御部１１が設定しワークメモリ１９が記憶したデフォルトＩＤを用いて行う。
【００８０】
図３は、上記記録・再生装置の再生時におけるリジューム動作のフローチャートの一例である。
【００８１】
本記録・再生装置は、ユーザ操作部１４に含まれる再生キーが操作されることによって電源オンとされるものとする。なお、光ディスク１７が挿入されることにより電源オンされてもよい。
【００８２】
再生キーが操作されると（Ｓ１）、システム制御部１１は、まず、システムの電源をオンにする（Ｓ２）。
【００８３】
次に、本記録・再生装置がリジュームモードに設定されているか否かをシステム制御部１１が判別する（Ｓ３）。リジュームモードでなければ、通常再生ルーチン（Ｓ１６〜Ｓ１９）に進む。
【００８４】
リジュームモードであった場合、電源オフの間などに光ディスク１７の入れ換えが行なわれたか否かをシステム制御部１１が判別する（Ｓ４）。この判別は、例えば、光ディスク１７の挿入口に設けられた蓋の開閉動作などの検出に基づいて行えばよい。
【００８５】
光ディスク１７の入れ換えがなければ、ディスクＩＤ認識部１６は、光ディスク１７からディスクＩＤを読み取って認識する（Ｓ５）。
【００８６】
なお、この時点で挿入されている光ディスク１７がディスクＩＤを有さないものなどであり、Ｓ５においてディスクＩＤを認識できない場合には、デフォルトＩＤを認識するものとする。
【００８７】
光ディスク１７が交換されていた場合も、ディスクＩＤ認識部１６はディスクＩＤの読み取りを行い、ディスクＩＤを認識できたか否かを判別する（Ｓ６）。このとき、ディスクＩＤが認識できなければ、通常再生ルーチン（Ｓ１６〜Ｓ１９）に移行する。光ディスク１７が交換されていた場合、前回又はそれ以前の再生中断時に挿入されていたディスクＩＤの認識出来ない光ディスクと、現時点で挿入されているディスクＩＤの認識出来ない光ディスクとが一致するとは限らないからである。
【００８８】
なお、ディスクＩＤ識別部１６は、光ディスク１７のディスクＩＤを認識し、その情報はシステム制御部１１が読みこむ。
【００８９】
次に、システム制御部１１は、ディスクＩＤ認識部１６から読み取ったディスクＩＤ（Ｓ５でデフォルトＩＤを認識した場合にはデフォルトＩＤ。以下、同様。）を基に、ワークメモリ１９内を検索し、上記ディスクＩＤ認識部１６で認識されたディスクＩＤが記憶されているか否かを判別する（Ｓ７）。ここで、ディスクＩＤが、ワークメモリ１９に記憶されていない場合には、通常再生ルーチン（Ｓ１６〜Ｓ１９）に移行する。
【００９０】
ワークメモリ１９にディスクＩＤが記憶されている場合、システム制御部１１は、そのディスクＩＤに対応するリジュームポイント情報をワークメモリ１９から読み出す（Ｓ８）。
【００９１】
次に、システム制御部１１は、リジュームポイント情報が示すリジュームポイントから光ディスク１７のデータ再生を行うように、ディスク記録・再生部１５に対し初期処理の開始を指示する（Ｓ９）。
【００９２】
しかし、光ディスク１７における実際のコンテンツデータ再生までにはある程度の時間が必要になり、特に、記録・再生可能な光ディスクの場合、数１０秒かかるのが一般的である。このことは、また、ＤＶＤのような高密度で大容量の記録媒体で特に顕著である。このように時間がかかるのは、初期処理にレーザパワーの調整、ディスクチルトの調整、収差の補正など、多くの調整を含んでいるからである。
【００９３】
この調整の時間に、再生制御手段として機能するシステム制御部１１は、上記Ｓ５あるいはＳ６で認識したディスクＩＤを用いて、コンテンツデータ記憶部１８に記憶されている部分コンテンツデータを読み出し、バッファメモリ２０へ高速レートで書き込む処理を開始する（Ｓ１０）。
【００９４】
部分コンテンツデータがある程度バッファメモリ２０に書き込まれたら、システム制御部１１は、その部分コンテンツデータをバッファメモリ２０から低速レートで再生する処理を開始する（Ｓ１１）。これにより、リジュームポイントからの再生を開始することができる。
【００９５】
上記Ｓ１１で開始された再生処理を実行しているうちに、上記初期処理が完了し、ディスク記録・再生部１５において光ディスク１７からの再生が可能になる（Ｓ１２）。上記初期処理によって、読み込まれた光ディスク１７のＴＯＣ情報とリジューム情報から、システム制御部１１は、ディスク記録・再生部１５の光学ヘッド（図示せず）を制御し、光ディスク１７から、バッファメモリ２０に書き込まれた部分コンテンツデータにおける以下で説明する読み出し停止点、または、終了点以降のデータを検索し、データの読み出しの準備をする。
【００９６】
システム制御部１１は、適切なタイミングでコンテンツデータ記憶部１８からの部分コンテンツデータの読み出しを停止する。部分コンテンツデータをすべて読み出してもかまわない。この部分コンテンツデータの読み出しを停止した位置が読み出し停止点である。同様に、部分コンテンツデータをすべて読み出した位置が終了点である。システム制御部１１は、この部分コンテンツデータの読み出し停止点、または、終了点以降のデータを、光ディスク１７から読み出し、バッファメモリ２０内で再生データが連続的に配列するよう書き込み処理を開始する（Ｓ１３）。
【００９７】
Ｓ１３の処理によって、バッファメモリ２０内で、コンテンツデータは、記録された順序通り連続的に配列する。バッファメモリ２０からは、連続的にコンテンツデータが読み出されているので、再生されるデータは、コンテンツデータ記憶部１８より読み出された部分コンテンツデータから、光ディスク１７より読み出されたコンテンツデータに切り替わる（Ｓ１４）。
【００９８】
その後は、システム制御部１１が、ディスク記録・再生部１５を介して光ディスク１７から高速レートでコンテンツデータの読み出しを行ってバッファメモリ２０に蓄えていき、一方、バッファメモリ２０からは低速レートで連続的にコンテンツデータを読み出し、再生データとして情報出力部１３へ出力していく。つまり通常の再生処理が行われる（Ｓ１５）。このように、バッファメモリ２０におけるデータの入出力では、出力に比較して、入力が高速に行われるので、再生データの結合は、比較的容易に実現可能である。
【００９９】
上述のように、再生データを先行してコンテンツデータ記憶部１８から読み出し、光ディスク１７からの再生に連続的に切り替えることによって、ユーザにとっては、再生キーオンから実際に再生が開始されるまでの待ち時間が短縮される。また、バッファメモリ２０において再生データを結合し、連続データを形成することで、光ディスク１７からの再生に切り替わる際に、連続した情報を得ることができる。
【０１００】
光ディスク１７にディスクＩＤが付与されていない場合、その光ディスク１７が一旦イジェクトされると、その光ディスク１７とリジューム情報との対応関係を保証できなくなるが、光ディスク１７が交換されなければ、同様のリジュームは可能である。これは、例えば、上記のようなデフォルトＩＤを発行しておくことにより可能になる。デフォルトＩＤは、例えば、ディスクＩＤが付与されていない光ディスク１７に対して発行し、これに対応付けられたリジューム情報として、リジュームポイント情報をワークメモリ１９に保存するように構成すればよい。このデフォルトＩＤは、ディスクＩＤの不明な光ディスク１７すべてに共通のＩＤとしておけばよい。これによって、すべてのリジューム情報は、ディスクＩＤと関連付けられて保存されることになる。
【０１０１】
なお、Ｓ８において、表示部２１におけるトラックナンバやトラックモードの表示動作を行うことで、ユーザは、再生の開始時から、コンテンツデータのどの部分が再生されているのかを知ることができる。この表示動作を再生の開始時から実行させるために、リジューム情報には、リジュームポイントのアドレスと、リジュームポイントを含むパーツのエンドアドレスを含ませることが好ましい。
【０１０２】
また、Ｓ３においてリジュームモードでないと判断された場合や、Ｓ６においてディスクＩＤの認識ができなかった場合、Ｓ７において検索対象のディスクＩＤが存在しなかった場合には、通常再生ルーチンが実行されることになる。
【０１０３】
つまり、システム制御部１１は、ディスク記録・再生部１５に対し初期処理の開始を指示する（Ｓ１６）。そして、初期処理が完了し、記録・再生可能な状態となったところで（Ｓ１７）、システム制御部１１は、ディスク記録・再生部１５を介し、光ディスク１７のからコンテンツデータを読み出し、高速レートでバッファメモリ２０へ書き込む処理を開始する（Ｓ１８）。そして、コンテンツデータがある程度バッファメモリ２０に書き込まれたら、そのコンテンツデータをバッファメモリ２０から低速レートで再生する処理を開始し（Ｓ１９）。これにより、バッファメモリ２０から低速レートで連続的にデータを読み出し、再生データとして出力し、通常の再生処理（Ｓ１５）がなされる。
【０１０４】
図４は、本記録・再生装置で再生されるコンテンツデータに含まれる情報の構成例を示している。図４において、コンテンツデータは、一連の連続したシーンＶ１，Ｖ２，・・・，Ｖｎ（ｎは整数）から構成されており、各シーンは映像情報と音声情報とから構成されている。ここで、各シーンには、再生するタイミングを示す一連のタイムコードＴ１，Ｔ２，・・・，Ｔｎおよび、各シーンを格納している記録媒体上のアドレスを示す一連の格納先アドレスＡ１，Ａ２，・・・，Ａｎが与えられている。なお、上記リジュームポイント情報としては、このタイムコードを用いることができる。
【０１０５】
本記録・再生装置では、上記一連のタイムコードの順番に従って各シーンを再生することで、映像情報と音声情報とを連続して再生することができる。また、任意のタイムコードを指定することによって、そのタイムコードに対応するシーンの格納先アドレスからコンテンツデータを読み込み、再生することもできる。
【０１０６】
続いて、本記録・再生装置で利用するコンテンツデータのストリームについて、図５及び図６を用いて説明する。
【０１０７】
図５は、光ディスク１７内に記録されているコンテンツデータの構成例を示している。光ディスク１７内のコンテンツデータは、図５に示すように、一連の連続したシーンＶ１，Ｖ２，・・，Ｖ９，・・・から構成されており、各シーンには、一連のタイムコードＴ１，Ｔ２，・・，Ｔ９，・・・及び、一連の格納先アドレスＤＡ１，ＤＡ２，・・，ＤＡ９，・・・が与えられている。
【０１０８】
図６は、コンテンツデータ記憶部１８内に記憶されている部分コンテンツデータの構成例を示しており、図５のコンテンツデータに基づいて作成されたものである。この部分コンテンツデータ（部分ストリーム）は、リジュームポイントからの再生に必要なデータとなる。
【０１０９】
コンテンツデータ記憶部１８に記憶されている部分コンテンツデータは、リジュームポイントから所定のタイムコードまでのコンテンツデータをコピーしたものである。ここでは、図６に示すように、部分コンテンツデータは、図５のリジュームポイント（この場合には、タイムコードＴ６で特定されるシーンＶ６）から、ある時間遡ったコンテンツデータ（この場合には、タイムコードＴ４で特定されるシーンＶ４）からコピーした、シーンＶ４，Ｖ５，・・，Ｖ８から構成されており、各シーンには、コンテンツデータと同じ一連のタイムコードＴ４，Ｔ５，・・，Ｔ８が与えられている。また、部分コンテンツデータの各シーンには、コンテンツデータ記憶部１８上の格納先アドレスＨＡ４，ＨＡ５，・・，ＨＡ８が与えられる。
【０１１０】
一般的なリジューム機能においては、リジュームポイントから、コンテンツデータを再生すればよいのであるが、上記のように短時間ながらリジュームポイントから遡ることによって、中断シーンが使用者に明確に認識できるメリットがある。この遡りの時間は特に限定されるものではないが、少なくとも数秒あれば良い。
【０１１１】
なお、部分コンテンツデータとしてコンテンツデータ記憶部１８に記憶するコンテンツデータのスタート位置としては、再生中断位置であるリジュームポイント、又はリジュームポイントより前に設定すれば良い。
【０１１２】
上記のコンテンツデータおよび部分コンテンツデータを用いて、コンテンツデータ記憶部１８に記憶された部分コンテンツデータの再生から、光ディスク１７に記録されたコンテンツデータの再生へ切り替える説明を以下で行う。
【０１１３】
本記録・再生装置での光ディスク１７の再生の再開において、リジュームモードに設定されていた場合、図６に示すコンテンツデータ記憶部１８に蓄積されたシーンＶ４からＶ８までの部分コンテンツデータは、バッファメモリ２０に一旦高速に記録され、ここから低速で読み出されることで再生される。バッファメモリ２０からシーンＶ４からＶ８までの再生が行われた後、光ディスク１７からの再生を行う。予め、システム制御装置１１は、ディスク記録・再生部１５に対し、シーンＶ９以降から再生をするように指示する。したがって、バッファメモリ２０には、光ディスク１７から読み込まれたシーンＶ９以降のコンテンツデータが書き込まれることになる。コンテンツデータ記憶部１８からのデータは、シーンＶ８で終了しているので、バッファメモリ２０内でシーンＶ９以降のコンテンツデータを結合させることによって、連続データを形成することができる。
【０１１４】
ここで、コンテンツデータ記憶部１８からの部分コンテンツデータと光ディスク１７からのコンテンツデータとの再生切り替えにおいて、双方のデータは、共通のタイムコードＴ４からＴ８を持っている。このため、コンテンツデータ記憶部１８からの部分コンテンツデータにおけるタイムコードＴ８のシーンＶ８の後に、シーンＶ８の次に再生すべき光ディスク１７から読み出したタイムコードＴ９のシーンＶ９を、バッファメモリ２０内で結合させることができる。これにより、これ以降も、連続した再生を行うことができる。
【０１１５】
なお、コンテンツデータ記憶部１８に記憶される部分コンテンツデータの再生時間は、レーザパワー調整やＴＯＣ情報の読み出し等のさまざまな初期処理に要する最大時間以上に設定しておくのが好ましい。これにより、コンテンツデータ記憶部１８からの部分コンテンツデータ全シーンの再生を終えた段階では、光ディスク１７の初期処理が完了していることになる。このため、部分コンテンツデータの再生後は、光ディスク１７から読み出したコンテンツデータを再生することができる。つまり、コンテンツデータ記憶部１８に記憶した部分コンテンツデータから光ディスク１７のコンテンツデータへの再生の切り替えが連続して行えるので、情報出力部１３における再生の表示が途切れることはない。
【０１１６】
次に、ワークメモリ１９上に格納されているディスクＩＤ管理テーブルについて図７を用いて説明する。
【０１１７】
図７は、ワークメモリ１９に格納される、ディスクＩＤ及びリジューム情報を管理するディスクＩＤ管理テーブルの構成例を示している。ディスクＩＤ管理テーブルは、ｎ個（ｎは整数）のディスクＩＤ情報の集合を含んで構成されており、ディスクＩＤ情報は各々の光ディスクを一意に判別可能な上記ディスクＩＤを表す情報である。ディスクＩＤ情報には、上記リジューム情報が対応づけられている。リジューム情報には、上記リジュームポイント情報や、上記部分コンテンツデータのコンテンツデータ記憶部１８における格納先アドレス等が含まれている。このディスクＩＤ管理テーブルをシステム制御部１１が参照することにより、光ディスク１７を一旦イジェクトして再度挿入した場合にも、リジューム再生を実現させることが可能になる。
【０１１８】
更に、そのディスクＩＤ情報に対応している光ディスク１７の内容を示す情報を、そのディスクＩＤ情報に対応づけてディスクＩＤ管理テーブルに記憶させておくことも可能である。ここで、光ディスク１７の内容を示す情報とは、その光ディスク１７が含んでいるコンテンツデータのタイトル、コンテンツデータの再生時間、コンテンツデータを参照するサムネイル画像、コンテンツデータのタイムコード、コンテンツデータの光ディスク内の格納先アドレス等で構成される目次情報が考えられる。
【０１１９】
なお、上記光ディスク１７の内容を示す情報は、上記内容に限定されるものではない。例えば、目次情報に対して、録画日時や録画したテレビジョン番組のチャンネルなどのコンテンツデータに付随した情報や、コンテンツデータが記録されている光ディスクの初期処理に必要な時間などの光ディスク１７に関連した情報を追加してもよい。
【０１２０】
上記目次情報の利用方法について説明する。ディスクＩＤ認識部１６が光ディスク１７のディスクＩＤを認識した場合、システム制御部１１は、ワークメモリ１９のディスクＩＤ管理テーブルから、その光ディスク１７のディスクＩＤに対応するディスクＩＤ情報を検索する。そして、該当するディスクＩＤ情報が存在すると、そのディスクＩＤ情報に対応するリジューム情報を取得する。ここで、ユーザがユーザ操作部１４を介して、コンテンツ選択メニューを表示させる指示を与えると、システム制御部１１は、上記取得したリジューム情報に含まれている上記目次情報等を用いて、コンテンツ選択メニューを情報出力部１３に表示させることができる。また、このコンテンツ選択メニューを表示させた場合、ユーザが、ユーザ操作部１４を介して再生したいコンテンツや再生開始位置を選択することで、リジュームポイントからではなく、任意の位置から再生できるように構成することも可能である。
【０１２１】
上記機能を利用する場合、複数のディスクに対する各リジューム情報から目的のコンテンツを含むディスクのリジューム情報を選択したい場合がある。この場合、ワークメモリ１９に記憶されている情報を情報出力部１３に表示して選択することが可能である。しかし、この時、ディスクＩＤを表示すると、数字とアルファベットの羅列となるので、ユーザからは意味のない、覚え難い情報であり、ユーザがディスクＩＤから目的のディスク情報を特定することは困難である。よって、ディスクＩＤではなく、予めユーザが独自ＩＤを作成しておき、作成した独自ＩＤを表示できれば、この選択が容易となる。
【０１２２】
なお、本実施形態で説明したシステム制御部１１の各手段としての機能、およびシステム制御部１１によって実行される制御方法は、コンピュータに再生装置制御プログラムを実行させることによっても実現することができる。この場合、記録媒体から読み出されたプログラムコード自体が上記機能や方法を実現することになり、そのプログラムコードを記録した記録媒体は本発明を構成することになる。このプログラムコードを供給するための記録媒体は、装置と分離可能に構成することができる。また、上記記録媒体は、プログラムコードを供給可能であるように固定的に担持する媒体であってもよい。そして、上記記録媒体は、記録したプログラムコードをコンピュータが直接読み取ることができるように装置に装着されるものであっても、外部記憶装置としてシステムあるいは装置に接続されたプログラム読み取り装置を介して読み取ることができるように装着されるものであってもよい。
【０１２３】
以上のように、本実施形態の記録・再生装置は、交換可能な光ディスク１７の情報を再生する記録・再生装置であって、光ディスク１７の情報を再生するディスク記録・再生部１５と、光ディスク１７を識別するためのディスクＩＤを認識するディスクＩＤ認識部１６と、ディスクＩＤを含む情報を記憶するワークメモリ１９と、システム制御部１１とを備えている。そして、システム制御部１１は、光ディスク１７の再生を中断するときに、ディスクＩＤ認識部１６で認識した光ディスク１７のディスクＩＤと、光ディスク１７の次回の再生を中断位置から行うためにディスク記録・再生部１５により再生を開始すべき光ディスク１７上の位置を特定可能なリジュームポイント情報とを対応づけて、ワークメモリ１９に記憶させる。また、システム制御部１１は、光ディスク１７の再生を開始するときに、ディスクＩＤ認識部１６で認識した光ディスク１７のディスクＩＤに対応するワークメモリ１９に記憶されているリジュームポイント情報に基づいて、ディスク記録・再生部１５による再生開始位置を制御する。
これにより、本発明の再生装置では、ディスクＩＤを持つ光ディスクであれば、一度再生しておけば、再生装置から取り出さずに再生を再開する場合に限らず、再生装置から一旦取りだし、他の光ディスクを再生しないで、あるいは他の単数又は複数の光ディスクを再生した後、もとの光ディスクを挿入して再生を再開する場合においても、ワークメモリ１９に記憶していたもとの光ディスクに対応するリジュームポイント情報に基づくことにより、前回再生を中断した位置から再生を再開することができるようになる。
【０１２４】
また、本発明の記録・再生装置では、ディスクＩＤを持つ光ディスクを一度再生しておけば、記録・再生装置から一旦取りだし、他の単数又は複数の光ディスクに対して記録、再生を行った後でも、もとの光ディスクを挿入して再生を再開する場合においては、ワークメモリ１９に記憶していたもとの光ディスクに対応するリジュームポイント情報に基づくことにより、前回再生を中断した位置から再生を再開することができるようになる。
【０１２５】
さらに、リジューム情報を操作することにより、光ディスクごとにリジューム動作の無効化や再生開始点の変更などを行うこともできる。このとき、リジューム情報を操作した特定の光ディスクに関しては、ワークメモリ１９に記憶された、操作されたリジューム情報にアクセスすることによって、リジューム動作の解除、再生開始点の変更を実行できる。
【０１２６】
なお、本発明は上述した実施形態に限定されるものではなく、請求項に示した範囲で種々の変更が可能である。
【０１２７】
【発明の効果】
以上のように、本発明の再生装置は、交換可能な情報記録媒体の情報を再生する再生装置であって、情報記録媒体の情報を再生する再生手段と、情報記録媒体を識別するための識別情報を認識する認識手段と、識別情報を含む情報を記憶する記憶手段と、情報記録媒体の再生を中断するときに、上記認識手段で認識した当該情報記録媒体の識別情報と、当該情報記録媒体の次回の再生を中断位置から行うために上記再生手段により再生を開始すべき当該情報記録媒体上の位置を特定可能な中断位置情報とを対応づけて、上記記憶手段に記憶させる再生中断制御手段と、情報記録媒体の再生を開始するときに、上記認識手段で認識した当該情報記録媒体の識別情報に対応して上記記憶手段に記憶されている中断位置情報に基づいて、上記再生手段による再生開始位置を制御する再生開始制御手段とを備える構成である。
【０１２８】
上記構成によれば、再生手段によって再生している、あるいは再生しようとしている情報記録媒体の識別情報を認識手段によって認識することができる。そして、情報記録媒体の再生を中断するときに、再生している情報記録媒体の識別情報に対応づけて、この情報記録媒体の次回の再生を中断位置から行うために、次回の再生開始時に再生を開始すべき情報記録媒体上の位置を特定可能な中断位置情報とを、再生中断制御手段が記憶手段に記憶させる。また、情報記録媒体の再生を開始するときには、再生をしようとする情報記録媒体の識別情報に対応して記憶手段に記憶されている中断位置情報に基づいて、再生開始制御手段が再生位置を制御する。よって、情報記録媒体を一旦取り出して再度再生した場合や、情報記録媒体を交換して再生した場合でも、各情報記録媒体で前回の再生中断からの再生を行うことができる。
【０１２９】
本発明の再生装置は、上記構成に加えて、上記認識手段で識別情報を認識できない情報記録媒体の再生を中断するときに、上記再生中断制御手段は、当該情報記録媒体用の識別情報を設定し、設定した識別情報と中断位置情報とを対応付けて、上記記憶手段に記憶させ、上記認識手段で識別情報を認識できない情報記録媒体の再生を開始するときに、上記再生開始制御手段は、上記記憶手段に記憶されている再生中断時に設定された識別情報に対応する中断位置情報に基づいて、上記再生手段による再生開始位置を制御する構成である。
【０１３０】
上記構成によれば、再生手段によって再生している、あるいは再生しようとしている情報記録媒体の識別情報を認識手段によって認識できない場合（あるは、識別情報がないと認識した場合）、情報記録媒体の再生を中断するときに、再生している情報記録媒体用の識別情報を設定して、この設定した識別情報と中断位置情報とを対応づけて、再生中断制御手段が記憶手段に記憶させる。また、情報記録媒体の再生を開始するときには、上記認識手段が識別情報を認識できなくても、記憶手段に記憶されている設定した識別情報に対応した中断位置情報に基づいて、再生開始制御手段が、再生しようとしている識別情報を認識手段によって認識できない情報記録媒体の再生位置を制御する。よって、識別情報を認識手段によって認識できない情報記録媒体でも、識別情報を認識手段によって認識できる情報記録媒体と同様に、前回の再生中断からの再生を行うことができる。
【０１３１】
本発明の再生装置は、上記構成に加えて、上記記憶手段は、複数の情報記録媒体のそれぞれの識別情報と、情報記録媒体毎の中断位置情報とを記憶可能であり、上記再生開始制御手段は、情報記録媒体の再生を開始するときに、上記記憶手段に記憶された情報のうち再生する情報記録媒体に対応する中断位置情報に基づいて再生手段を制御する構成である。
【０１３２】
上記構成によれば、記憶手段が、複数の情報記録媒体に対し、識別情報と中断位置情報とを、情報記録媒体毎に記憶できるので、複数の情報記録媒体に対してそれぞれのリジューム機能を実現することができる。
【０１３３】
本発明の再生装置は、上記構成に加え、上記再生中断制御手段は、情報記録媒体の再生を中断するときに、当該情報記録媒体の識別情報に対応づけて、当該情報記録媒体から読み取った再生中断位置後の再生内容の情報を上記記憶手段に記憶させ、上記再生開始制御手段は、情報記録媒体の再生を開始するときに、当該情報記録媒体の識別情報に対応づけて上記記憶手段に記憶させた再生内容を再生した後、続けて当該情報記録媒体からの再生を行う構成である。
【０１３４】
上記構成によれば、再生を再開した場合、予め記憶手段に記憶させておいた中断後の再生内容の情報を再生し、その間に、再生手段における初期処理を行うことができる。よって、記憶手段からの再生後に続けて上記情報録媒体からの再生動作を実行することができる。その結果、ユーザにおいては、再生までの待ち時間が少なくなり、連続して再生される情報を得ることができるので、快適な再生環境を得ることができる。
【０１３５】
本発明の再生装置は、上記構成に加えて、上記再生中断制御手段は、情報記録媒体の再生を中断するときに、当該情報記録媒体の識別情報に対応づけて、当該情報記録媒体から読み取った再生中断位置前の再生内容の情報を上記記憶手段に記憶させ、上記再生開始制御手段は、情報記録媒体の再生を開始するときに、当該情報記録媒体の識別情報に対応づけて上記記憶手段に記憶させた再生内容を再生した後、続けて当該情報記録媒体からの再生を行う構成である。
【０１３６】
上記構成によれば、中断位置の前から情報再生を行うことができるので、ユーザに再生中断位置直前の内容を思い出させつつ、これに連続して再生中断位置後の内容を再生することができる。また、記憶手段からの再生を行っている間を利用して再生手段の初期処理を行うことができるため、上記と同様に再生までの時間を短縮することができ、快適な再生環境を得ることができる。
【０１３７】
本発明の再生装置は、上記構成に加えて、上記記憶手段が、交換可能である構成である。
【０１３８】
上記構成によれば、記憶手段に保持する情報が肥大化した場合、記憶された情報記録媒体数が多くなった場合等でも、記憶手段を交換することで、容量を変更して対応することができる。
【０１３９】
本発明の再生装置は、上記構成に加えて、上記再生中断制御手段は、中断位置情報を上記記憶手段に記憶させるときに、中断位置情報を記憶させた順序を特定可能なように記憶させる構成である。
【０１４０】
上記構成によれば、記憶手段に記憶させた情報を削除する必要が生じたときに、記憶させた順序に基づいて、この順序が古い情報から順に削除することができる。
【０１４１】
本発明の再生装置は、上記構成に加えて、上記記憶手段の空き容量を増やす必要が生じたときに、記憶した順序が古い情報から優先的に削除する記憶内容管理手段を備える構成である。
【０１４２】
上記構成によれば、記憶手段の空き容量を増やす必要が生じたときに、記憶手段に記憶させた順序が古いものから順に、自動的に削除することができ、記憶手段の空き容量を増やすことができる。
【０１４３】
本発明の再生装置は、上記構成に加えて、上記記憶手段に記憶されている情報の内容を表示する表示手段と、ユーザからの入力を受け付ける入力手段と、ユーザの入力に応じた特定の識別情報に対応する情報記録媒体に関しては、中断位置からの再生を無効とする無効化手段とを備える構成である。
【０１４４】
上記構成によれば、上記記憶手段に記憶されている情報の内容を表示することが可能となり、ユーザ自身で、入力手段を用いて、前回の再生時の中断位置からの再生が必要ない情報記録媒体については、通常の再生が可能なように変更することができ、再生はユーザの自由にできる。
【０１４５】
本発明の再生装置は、上記構成に加えて、上記記憶手段に記憶されている情報の内容を表示する表示手段と、ユーザからの入力を受け付ける入力手段と、ユーザの入力に応じた特定の識別情報に対応する中断位置情報とを上記記憶手段から削除する削除手段を備える構成である。
【０１４６】
上記構成によれば、上記記憶手段に記憶されている情報の内容を表示することが可能となり、ユーザ自身で、入力手段を用いて、記憶手段に記憶されている情報のうち必要ない情報を削除することができる。
【０１４７】
本発明の再生装置は、上記構成に加えて、上記入力手段は、上記記憶手段に記憶される記録情報媒体の識別情報に１対１で対応するユーザによる別名称の入力を受け付け、上記記憶手段は、当該記録情報媒体の識別情報と中断位置情報とに対応づけて上記別名称を記憶し、上記表示手段は、上記記憶手段に記憶された別名称を表示する構成である。
【０１４８】
上記構成によれば、識別情報を持たない情報記録媒体を含め、すべての情報記録媒体に対して、ユーザが、上記別名称として独自ＩＤ（自身に分かり易い名称）をつけることができる。また、記憶手段がこの独自ＩＤを記憶し、表示手段が表示できる。よって、ユーザは、表示手段が独自ＩＤを表示した状態で、中断位置からの再生を無効や、記憶手段に記憶されている情報の削除等の作業を行うことができるので、作業しやすくなる。
【０１４９】
本発明の交換可能な情報記録媒体の情報を再生する再生装置の制御方法は、情報記録媒体の再生を中断するときに、当該情報記録媒体を再生する再生手段に対して再生の中断を指示する中断指示ステップと、当該情報記録媒体を識別するための識別情報と、当該情報記録媒体の次回の再生を中断位置から行うために上記再生手段により再生を開始すべき当該情報記録媒体上の位置を特定可能な中断位置情報とを対応づけて記憶手段に記憶する記憶ステップとを含み、情報記録媒体の再生を開始するときに、当該情報記録媒体を識別するための識別情報を認識する認識ステップと、上記記憶手段に記憶されている中断位置情報のうち、上記認識ステップで認識された識別情報に対応するものを取得する情報取得ステップと、上記情報取得ステップにおいて取得した中断位置情報に基づいて、上記再生手段による再生開始位置を制御する再生開始ステップとを含む構成である。
【０１５０】
上記構成によれば、情報記録媒体の再生の中断があった場合でも、再生の中断を指令し、上記情報記録媒体の識別情報と次回の再生を中断位置から行うための上記情報記録媒体の中断位置情報とを記憶させ、再生の再開時には、上記識別情報を認識し、記憶した識別情報と中断位置情報とを用いて、中断位置から再生動作を実行させることができる。
【０１５１】
本発明の再生装置制御プログラムは、上記再生装置制御方法を実行するための再生装置制御プログラムであって、コンピュータに上記各ステップを実行させるような構成である。
【０１５２】
上記構成によれば、上記制御方法をデータ処理装置の制御プログラムとしてコンピュータに実行させることができる。
【０１５３】
本発明のコンピュータ読み取り可能な記録媒体は、上記再生装置制御プログラムを記録し、コンピュータ読み取り可能な構成である。
【０１５４】
上記構成によれば、上記制御プログラムを読み取り可能な記録媒体に記録することにより、任意のコンピュータで上記制御プログラムを用いて上記制御方法を実行させることができる。
【図面の簡単な説明】
【図１】本発明の実施の一形態の記録・再生装置の構成を示すブロック図である。
【図２】図１の記録・再生装置の再生中断時におけるリジューム動作のフローチャートである。
【図３】図１の記録・再生装置の再生時におけるリジューム動作のフローチャートである。
【図４】図１の記録・再生装置で再生されるコンテンツデータに含まれる情報の構成を説明する図面である。
【図５】図１の記録・再生装置で再生される光ディスク内に記録されているコンテンツデータの構成を説明する図面である。
【図６】図１の記録・再生装置におけるコンテンツデータ記憶部に記憶されている部分コンテンツデータの構成を説明する図面である。
【図７】図１の記録・再生装置におけるワークメモリに格納される、ディスクＩＤ及びリジューム情報を管理するディスクＩＤ管理テーブルの構成を説明する図面である。
【符号の説明】
１１  システム制御部（再生中断制御手段、再生開始制御手段、記憶内容管理手段、無効化手段、削除手段）
１２  情報入力部
１３  情報出力部
１４  ユーザ操作部
１５  ディスク記録・再生部（再生手段）
１６  ディスクＩＤ認識部（認識手段）
１７  光ディスク（情報記録媒体）
１８  コンテンツデータ記憶部（記憶手段）
１９  ワークメモリ（記憶手段）
２０  バッファメモリ
２１  表示部（表示手段）
【図１】
2004178654.tif 000003
【図２】
2004178654.tif 000004
【図３】
2004178654.tif 000005
【図４】
2004178654.tif 000006
【図５】
2004178654.tif 000007
【図６】
2004178654.tif 000008
【図７】
2004178654.tif 000009